Podtech/llm-jp-corpus-v4-ja_patent huggingface dataset:
(57)【要約】      （修正有）【課題】浴槽にアラーム装置を設置し、希望する水位が来たら、音が鳴って、他の部屋にいる人に知らせる水位報知器を提供する。【解決手段】水平板９の中央と浮板５に穴を開け、両方の穴を貫通するように誘導シャフト４を通すと共に、水平板に浮板を下垂させ、浮板に連結した２本の連結棒６の先端に、アラーム１をそれぞれ置き、さらに、それらに接して対となるアラーム２を水平板の左右に対称に置く。水面が上昇すると、浮板が上昇し、アラーム２からアラーム１が離れ、音が鳴り、人に教え、水の節約になる。【選択図】図１
0003195260.tif 000002
【実用新案登録請求の範囲】
【請求項１】
水平の板と上下動する棒両方にアラームを取りつけ、垂直の棒が上方へ上がると、アラームが鳴り、人に教えるのが特徴とするのが水位報知器
【考案の詳細な説明】
【技術分野】
【０００１】  本考案は、浴槽にアラームを設置し、遠方から感知できるようにし、報知器に関するものである。
【背景技術】
【０００２】  浴槽に水を貯槽する場合、時計を見ながら、数回浴槽を見に行った。
【先行技術文献】
【特許文献】
【０００３】
【特許文献１】
【非特許文献】
【０００４】
【非特許文献１】
【考案の概要】
【考案が解決しようとする課題】
【０００５】  時計で満水になる時間を計る場合、うっかり忘れたり、家庭内数ヶ所で水道使用時、所要時間が異なり、水の経済的負担となったり、貯槽時間が異なり、数回風呂場を観察しに行く。しかし音で知らせる場合、離れた部屋にいて、数回、浴槽迄見に行かずとも良い。アラームが鳴ると、一発で希望する水位に水面が来ている点が、前述の欠点を解決するものである。
【課題を解決するための手段】
【０００６】  浴槽のへりの両端に水平に板を渡し、中心に穴を開け、垂直誘導装置の棒を通し、穴の両脇にアラームの対のうちの片方を取り付ける。もう一方は垂直上下動装置であるが、水に浮く浮板の両端四隅に垂直棒を四本取り付け、水平の板を外側から越えて、左端の二本、右端の二本を横棒で連結し、下垂させる。その横棒にアラームの対のもう一方を取り付ける。水面の上昇により、浮板が上昇し、浮板と連結した横棒が上昇し、アラームの右と左の装置が離れ、アラームが鳴ることを利用し、部屋で待っている者に聞こえることで解決している。
【考案の効果】
【０００７】  この水位報知器は、時計やタイマーで計るより、実際的で正確に、希望する水位が来ると、音で知らせてくれるので希望する水位迄の所要時間が毎日変わっても、関係なく大きな音で正確且つ確実に知らせてくれ、何かをやりながらでも便利で、水のくみ過ぎがないので水道代の節約につながる。
【図面の簡単な説明】
【０００８】
【図１】本考案の水位報知器の一実施例を示す正面図である。
【図２】水位報知器の側面図である。
【考案を実施するための形態】
【０００９】  浴槽に栓をし、水道を開栓する。次に水位報知器の水平の長い板の両端を浴槽のへりにかける、水面が浮板を押し上げると、アラームの装置の片方が離れ、音が鳴ったら急いで、風呂場へ行き、水道を止栓し、水位報知器を収納する。そして風呂のフタをして、風呂に点火する。
【実施例】
【００１０】  浴槽に栓をし、水道を開栓する。次に図−１の９の板を手に持ち、８の浴槽のへりに９の板の両端を置く。【００１１】  ７の水面が上昇すると、５の板は水に浮く材料なので、水面の上昇と共に上昇し、４の誘導シャフトに沿って上昇する。また５に連結した６の棒の先端には、１のアラーム装置の片方が付着していて、５の板が上昇すると、１のアラーム装置の片方が対になっている２と離れ、音が鳴り、他の部屋にいた者が、その音を聞き、かけつけて水を止める。【００１２】  本考案の一実施例は上述の如き構成からなるものであるから、設置すれば水位報知器で、９の板を持ち上げれば、５と６と１は自動的に元の位置に納まり壁のクギなどにかけて収納
【符号の説明】
【００１３】１  アラーム装置の片方
２  アラーム装置のもう一方
３  チーズ
４  誘導シャフト
５  浮板
６  連結棒
７  水
８  浴槽のへり
９  水平板
【図１】
0003195260.tif 000003
【図２】
0003195260.tif 000004
【手続補正書】
【提出日】平成26年7月7日(2014.7.7)
【手続補正１】
【補正対象書類名】実用新案登録請求の範囲
【補正対象項目名】全文
【補正方法】変更
【補正の内容】
【実用新案登録請求の範囲】
【請求項１】
誘導シャフトを中心として左右対称にアラームが一対ずつあり、左右外側のアラーム２個は、横棒の下方に付着し、横棒は水平の板を上方からまたぎ、直角に立体交差する。接するようにしてある内側のアラーム２個は、浴槽のへりとへりに差し渡した水平の板に付着している。
またこの横棒は、上下動する棒に付着し、上下動する棒は浮板に付着している、上下動する棒は連結棒であり４本ある。
浮板と水平の板の中央には、円形の穴が開いていて誘導シャフトを差し込むようになっている。誘導シャフトの外径より大きな穴である。誘導シャフトの上方にＴ字型のチーズが付着している。
水面が浮板を持ち挙げないうちは、浮板と上下動する棒は水平の板に下垂された状態である。Ｋ面が上昇し、浮板を持ち挙げると誘導シャフトの補助により、上下動する棒が斜めに傾くことなく、水平の板に対し垂直に上昇させ、上下動する棒と連結した横棒の下方に付着したアラームが、水平の板のアラームから離れ、音が鳴るのを特徴とする。
また浮板の設定は、上下動する棒の上方に水平に設定すれば、浴槽の水面が高くなった時音が鳴り、上下動する棒の下方に水平に設定すれば、浴槽の水面が低い時に音が鳴る
【手続補正書】
【提出日】平成26年10月16日(2014.10.16)
【手続補正１】
【補正対象書類名】実用新案登録請求の範囲
【補正対象項目名】全文
【補正方法】変更
【補正の内容】
【実用新案登録請求の範囲】
【請求項１】
［「水位報知器において、
（１）水平板の中央に穴が開き、その左右に対称にアラームが付着する、
（２）それらのアラームの外側に水平板に対し直角に上からまたぐように横棒が通り、その横棒の下方にアラームが付着し、また横棒の端から下方に垂直に上下動する棒が伸び、浮板に直角に付着する、
（３）水平板の中央の穴と浮板の穴を貫通するように誘導シャフトが通っている、
・
・
以上の（１）〜（３）の構成からなる特徴を持ったものが水位報知器である。」］
(57)【要約】      （修正有）【課題】両手を使わず、片手でペーパーを引出し、ロールの回転を止め、片手でペーパーをカットできるペーパーフォルダーを提供する。【解決手段】ロールペーパーの保護カバー部分を切り込み、外側へ折り返しペーパー引き出し台兼ペーパーカット台２にし、手が触れても、手を傷つけることのない様に切り込み先端を丸型にする。【選択図】図６
0003195258.tif 000002
【実用新案登録請求の範囲】
【請求項１】
保護カバーを切り込み外へ折り返し、ペーパー引き出し台兼ペーパーカット台にする。
【考案の詳細な説明】
【技術分野】
【０００１】両手を使わなくても、片手でペーパーを引出して、ロールの回転を止める事と、ペーパーのカットを同時に切るのを可能にする。
【背景技術】
【０００２】従来は、片手でペーパーを引出し、もう一方の手でカバーを押えて、ペーパーを持った手を、上の方向に移動することで両手を使いペーパーをカットしていた
【先行技術文献】
【０００３】
【特許文献１】
【０００４】
【非特許文献１】
【考案の概要】
【考案が解決しようとする課題】
【０００５】片手でペーパーを引出し、その手でロールの回転を止め、その手でペーパーカットができる。
【考案が解決するための手段】
ロールペーパーの保護カバー部分を切り込み、外側へ折り返しロールペーパー引き出し台兼ペーパーカット台に（手が触れても、手を傷つけることない様に、切込み先端は丸型に）すること。
【考案の効果】
片手でロールペーパーを引出し、ペーパーの切りたいところで、その手を下へ振り下ろすと、ロールの回転を止めると同時にペーパーのカットも出来るようになる。
【図面の簡単な説明】
【図１】  立体図
【図２】  側面図
【図３】  平面図
【図４】  立体図
【図５】  汚れ保護クッションカバーマット側面図
【図６】  引出し台兼カット台側面図
【図７】  引出し台兼カット台平面図
【考案を実施するための形態】
【実施例１】
【実施例２】
【産業上の利用可能性】
【符号の説明】１  汚れ保護クッションカバーマット
２  ペーパー引き出し台兼ペーパーカット台
３  ロールペーパー回転止カバー
４  ロールペーパー
５  切り取ったペーパー
【図１】
0003195258.tif 000003
【図２】
0003195258.tif 000004
【図３】
0003195258.tif 000005
【図４】
0003195258.tif 000006
【図５】
0003195258.tif 000007
【図６】
0003195258.tif 000008
【図７】
0003195258.tif 000009
【手続補正書】
【提出日】平成26年6月30日(2014.6.30)
【手続補正１】
【補正対象書類名】実用新案登録請求の範囲
【補正対象項目名】全文
【補正方法】変更
【補正の内容】
【実用新案登録請求の範囲】
【請求項１】
保護カバーを切り込み外へ折り返しすることで、ペーパー引き出し台兼カット台に変化することを特徴とするペーパーフォルダー
【手続補正２】
【補正対象書類名】明細書
【補正対象項目名】全文
【補正方法】変更
【補正の内容】
【考案の詳細な説明】
【技術分野】
【０００１】  両手を使わなくても、片手でペーパーを引出して、ロールの回転を止める事と、ペーパーのカットを同時に行うことを可能にする。
【背景技術】
【０００２】  従来は、片手でペーパーを引出し、もう一方の手でカバーを押えて、ペーパーを持った手を、上の方向に移動することで両手を使いペーパーをカットしていた
【先行技術文献】
【０００３】
【特許文献１】
【０００４】
【非特許文献１】
【考案の概要】
【考案が解決しようとする課題】
【０００５】  片手でペーパーを引出し、その手でロールの回転を止め、その手でペーパーカットができる。
【考案が解決するための手段】
ロールペーパーの保護カバー部分を切り込み、外側へ折り返しロールペーパー引き出し台兼ペーパーカット台に（手が触れても、手を傷つけることない様に、切込み先端は丸型に）すること。
【考案の効果】
片手でロールペーパーを引出し、ペーパーの切りたいところで、その手を下へ振り下ろすと、ロールの回転を止めると同時にペーパーのカットも出来るようになる。
【図面の簡単な説明】
【図１】  立体図
【図２】  側面図
【図３】  平面図
【図４】  立体図
【図５】  汚れ保護クッションカバーマット側面図
【図６】  引出し台兼カット台側面図
【図７】  引出し台兼カット台平面図
【考案を実施するための形態】
【実施例１】
【実施例２】
【産業上の利用可能性】
【符号の説明】      １  汚れ保護クッションカバーマット
２  ペーパー引き出し台兼ペーパーカット台
３  ロールペーパー回転止台
４  ロールペーパー
５  切り取ったペーパー
【手続補正３】
【補正対象書類名】図面
【補正対象項目名】全図
【補正方法】変更
【補正の内容】
【図１】
0003195258.tif 000010
【図２】
0003195258.tif 000011
【図３】
0003195258.tif 000012
【図４】
0003195258.tif 000013
【図５】
0003195258.tif 000014
【図６】
0003195258.tif 000015
【図７】
0003195258.tif 000016
【手続補正書】
【提出日】平成26年10月14日(2014.10.14)
【手続補正１】
【補正対象書類名】実用新案登録請求の範囲
【補正対象項目名】全文
【補正方法】変更
【補正の内容】
【実用新案登録請求の範囲】
【請求項１】
ロールペーパーの保護カバー部分を切り込み、外へ折り返してペーパー引き出し台兼カット台を備えることを特徴とするペーパーフォルダー。
(57)【要約】      （修正有）【課題】キャップの紛失を防止できる筆記具を提供する。【解決手段】キャップ１と筆記具本体２先端に一方の磁極面（片方はＳ極、もう片方はＮ極）が露出するように小型磁石３、４、５、６をはめ込み固定する。磁性体や磁石を備えた収納器具を必要とせず、磁性体ならば天地を問わず筆記具どちらの先端でも筆記具本体の保持を可能とするため、紛失防止効果を期待できる。筆記具使用時に分離するキャップと本体の先端磁石（Ｓ極とＮ極）を接着させ使用できるため、キャップの紛失防止効果を期待できる。またキャップを離して筆記具を使う場合でも、キャップだけを他の磁性体に天地を問わず保持させ紛失防止効果を期待できる。【選択図】図１
0003195226.tif 000002
【実用新案登録請求の範囲】
【請求項１】
それぞれの先端に一方の磁極面（片方はＳ極、もう片方はＮ極）が露出するように小型磁石をはめ込み固定したキャップと筆記具本体で構成され、キャップ装着時はどちらの端でも磁性体ならば天地を問わず筆記具自身の保持を可能とし、使用時にはキャップと筆記具本体の磁力同士を接着させ使用する筆記具。
【考案の詳細な説明】
【技術分野】
【０００１】
小型で磁力なネオジム磁石のＮ極とＳ極が引き合う特性を文房具に利用。
【背景技術】
【０００２】
磁石や鉄棒等の磁性体を備え、磁石を取り付けた筆記具をぶら下げて収納する筆記具置き、または磁石を内蔵した筆記具収納器はあるが、筆記具を使用しない時の収納の為の器具である。
【先行技術文献】
【特許文献】
【０００３】
【特許文献１】特開2010-058489
【特許文献２】実用新案公開平06−002618
【特許文献３】特開2012-196949
【特許文献４】特開2007-230195
【特許文献５】特開2004-345224
【特許文献６】特開2013-256055
【考案の概要】
【考案が解決しようとする課題】
【０００４】
筆記具は紛失しやすく、特にキャップと筆記具本体を分離して使用するタイプは、キャップを本体に被せ保持する装置が付いていても、接合が緩み、どちらか一方、またはどちらも紛失する状況が生じる。
【課題を解決するための手段】
【０００５】
キャップと筆記具本体先端に一方の磁極面（片方はＳ極、もう片方はＮ極）が露出するように小型磁石をはめ込み固定をする。磁性体や磁石を備えた収納器具を必要とせず、キャップ装着時はどちらの端でも磁性体ならば天地を問わず筆記具自身を保持する事ができる。使用時にはキャップと筆記具本体の磁力同士を接着させ使用する。
【考案の効果】
【０００６】
特別な保持器具を必要とせず、磁性体ならば天地を問わず筆記具どちらの先端でも筆記具本体の保持を可能とするため、紛失防止効果を期待できる。筆記具使用時に分離するキャップと本体の磁石（Ｓ極とＮ極）を接着させ使用できるため、キャップの紛失防止効果を期待できる。またキャップを離して筆記具を使う場合でも、キャップだけを他の磁性体に天地を問わず保持させ紛失防止効果を期待できる。
【図面の簡単な説明】
【０００７】
【図１】キャップ装着時の筆記具。キャップの先端に一方の磁極が露出するように小型磁石をはめみ、筆記具本体にはもう一方の磁極が露出するように小型磁石をはめ込んでいる。
【図２】キャップ非装着時の筆記具。キャップの先端に一方の磁極が露出するように小型磁石をはめみ、筆記具本体にはもう一方の磁極が露出するように小型磁石をはめ込んでいる。
【図３】使用時：キャップと筆記具下部先端に取り付けた異なる磁極を接着させ使用する。
【考案を実施するための形態】
【０００８】
円柱または柱状の同径のネオジム等の小型磁石を２個使用する。ひとつはキャップ先端に一方の磁極面（片方はＳ極、もう片方はＮ極）が露出するようにはめ込み固定する。もうひとつは筆記具下部先端にキャップに埋め込んだ反対の極が露出するようにはめ込み固定する。筆記具を使用する際はキャップと筆記具本体の異なる磁極を引き合わせ接着、安定させ使用する。またはキャップだけを筆記具本体とは別の磁性体に保持させ、もしくは磁性体に保持させることなく筆記具を使用する。磁性体や磁石を備えた収納器具を必要とせず、キャップ装着時はどちらの端でも磁性体ならば天地を問わず筆記具自体を保持する事ができる。筆記具自体またはキャップ、筆記具本体の紛失防止効果を期待できる。
【実施例】
【０００９】
筆記装置の内蔵と小型磁石を筆記具に固定させる穴を確保するために、成形加工の容易なプラスチック、または内部空洞を利用できる自然竹を筆記具の素材とする。円柱または柱状の同径のネオジム等の小型磁石をひとつはキャップ先端に一方の磁極面（片方はＳ極、もう片方はＮ極）が露出するようにはめ込み固定する。もうひとつは筆記具下部先端にキャップに埋め込んだ反対の極が露出するようにはめ込み固定する。筆記具を使用する際はキャップと筆記具本体の異なる磁極を引き合わせ接着、安定させ使用する。またはキャップだけを筆記具本体とは別の磁性体に保持させ、もしくは磁性体に保持させることなく筆記具を使用する。磁性体や磁石を備えた収納器具を必要とせず、キャップ装着時はどちらの端でも磁性体ならば天地を問わず筆記具自体を保持する事ができる。
【産業上の利用可能性】
【００１０】
新たな筆記具の市場提案。  磁石付きキャップ式筆記具の素材に北アフリカ、ヨーロッパ、北アメリカの大部分では見られない希少な竹、日本国内でも生産地の限られる黒竹、布袋竹を使用し、日本発の新たな筆記具とする。
【符号の説明】
【００１１】
１  着脱式キャップ
２  筆記具本体
３  小型磁石Ｎ極（またはＳ極）
４  小型磁石Ｓ極（またはＮ極）
５  小型磁石Ｎ極（またはＳ極）
６  小型磁石Ｓ極（またはＮ極）
７  小型磁石の異なる極を接着
【図１】
0003195226.tif 000003
【図２】
0003195226.tif 000004
【図３】
0003195226.tif 000005
(57)【要約】      （修正有）【課題】予測不可能な動きにより筋力を強化する腕立伏運動具を提供する。【解決手段】グリップ２の両端に設けた板バネ３を介して板バネの下部に車輪４を取り付けてなる腕立伏運動具で板バネはグリップの端部の中心から下部に台形状に設けられた物であり両端の開きを規制する規制部材で連結した事を特長とする。【選択図】図２
0003195276.tif 000002
【実用新案登録請求の範囲】
【請求項１】
グリップ（２）の両端に設けた板バネ（３）を介して該板バネの下部に車輪（４）を取り付けてなる腕立伏運動具で板バネはグリップの端部の
0003195276.tif 000006
両端の開きを規制する規制部材で連結した事を特長とする腕立伏運動具
【考案の詳細な説明】
【技術分野】
【０００１】本考案は腕立伏運動具に関する物である
【背景技術】
【０００２】従来の技術はホイールにグリップを一本入
0003195276.tif 000003
右手一台左手一台と前後だけ又横にだけ動
0003195276.tif 000004
【考案の概要】
本考案の腕立伏運動具は板バネ（３）により弾力性と自在キャスター（４）による予測不可能な動きをする腕立伏運動具であり制御が難かしい運動具である
【考案が解決しようとする課題】
【０００３】グリップ（２）に板バネ（３）２枚取り付け弾力性を有つ様にし板バネの下部に自在キャスター（４）を取り付け機動性を高める
【課題を解決するための手段】
【０００４】本件第１の考案は［請求項１］に記載の問言と同じでグリップ（２）の両端に板バネ（３）を設け板バネを介して該板バネ（３）の下端に自在キャスター（４）を取り付ける又板バネの下部に開き止めワイヤー（５）を取り付けた腕立伏運動具
【考案の効果】
【０００５】腕立伏運動を板バネ（３）と自在キャスター（４）で難かしくする為の運動具
【図面の簡単な説明】
【０００６】
【図１】腕立伏運動具組立途中の図で自在キャスター（４）がまだの斜視図である
【図２】腕立伏運動具を前後から見た図でグリップキャップ（８）外した図である
【図３】腕立伏運動具を用ちい両腕を横にした図
【図４】腕立伏運動具を用ちいて右腕を斜め前左腕を斜め後を示した図である
【考案の実施形態】
【０００７】［図１］は組立て途中の図でグリップ（２）からグリップ、キャップ（８）片方自在キャスター（４）ワイヤー（５）がまだの図
［図２］完成図でグリップ（２）からグリップキャップ（８）を外しグリップ（２）の中が見える様にした図である
［図３］腕立伏運動具を用ちいて両腕を広げた運動時の図
［図４］腕立伏運動具を用ちいて右腕を前方左腕を後方を示した図
【実施例】
【０００８】以下添付図面に従って実施例を説明する
（１）は自転車のハンドル、グリップと同等の素材とし円筒にする（プラスチック）
（２）はステンレス、パイプとし両端部に溝とボルト穴を付ける（３）板バネは強度のあるステンレスを
0003195276.tif 000005
右４ケ所左４ケ所ボルト穴をあける図１、２、グリップキャップはプラスチック等適宜素材ボルト（７）ワイヤーフック（６）ワイヤー（５）全てステンレス、スチールとし自在キャスター（４）は市販の物で対応し右手一台左手一台で腕立伏運動をする物である
【符号の説明】
【０００９】１．グリップカバー
２．グリップ
３．板バネ
４．自在キャスター
５  ワイヤー
６  ワイヤーフック
７  ボルト、ナット（ボルト、ナット）小
８  グリップキャップ
【図１】
0003195276.tif 000007
【図２】
0003195276.tif 000008
【図３】
0003195276.tif 000009
【図４】
0003195276.tif 000010
【手続補正書】
【提出日】平成26年10月27日(2014.10.27)
【手続補正１】
【補正対象書類名】実用新案登録請求の範囲
【補正対象項目名】全文
【補正方法】変更
【補正の内容】
【実用新案登録請求の範囲】
【請求項１】
グリップ２の両端に設けた板バネ（３）を介して該板バネの下部に車輪（４）取り付けてなる腕立伏運動具で板バネはグリップの端部の中心から下部に台形状に設けられた物であり両端の開きを規制する規制部材で連結した事を特長とする腕立伏運動具
【手続補正２】
【補正対象書類名】明細書
【補正対象項目名】０００２
【補正方法】変更
【補正の内容】
【０００２】従来の技術はホイールにグリップを一本入れ膝をついて前後に動かす物や膝をついて右手一台左手一台で前後だけ又横にだけ動かす物がある。
【考案の概要】本考案の腕立伏運動具は板バネ（３）により弾力性と自在キャスター（４）による予測不可能な動きをする腕立伏運動具であり制御が難しい運動具である
【手続補正３】
【補正対象書類名】明細書
【補正対象項目名】０００８
【補正方法】変更
【補正の内容】
【０００８】以下添付図面に従って実施例を説明する。
（１）は自転車のハンドル、グリップと同等の素材とし円筒にする。（プラスチック）
（２）はステンレスパイプとし両端部に溝とボルト穴を付ける（３）板バネは強度のあるステンレスを台形の形にし上部に１カ所ボルト穴をあけ下部右４カ所ボルト穴をあける。図１、２、グリップキャップはプラスチック等適宜素材ボルト（７）ワイヤーフック（６）ワイヤー（５）全てステンレススチールとし自在キャスター（４）は市販の物で対応し右手一台左手一台で腕立伏運動をする物である。
(57)【要約】      （修正有）【課題】放射性セシウムや放射性ヨウ素を含む有害物質に汚染された水、土壌等から有害物質の吸着、除去を容易にし、かつ低コストで処理する有機質から生成される炭を提供する。【解決手段】水、土壌の表面及び深部を汚染した放射性ヨウ素を含む有害物質を除去するために、あらゆる植物から生成された炭を使用する。炭は、直径１０〜２００Å（オングストローム）の多孔質１で個々の孔の表面積は１グラムあたり延べ９００〜１，３００ｍ２はあり、この広大な面積の孔に放射性セシウムや放射性ヨウ素を含む有害物質が吸着する２。この炭の持つ特徴を活用し、放射性セシウムや放射性ヨウ素を含む有害物質に汚染された、水中、土壌表面、土壌中に散布、埋設させることで吸着による除去を行うものである。家畜などの健康回復には、炭を食べやすい形状、大きさにして与えることで、体内に摂取された放射性ヨウ素を含む有害物質を腸内で吸着させ糞と共に排出させることができる。【選択図】図２
0003195273.tif 000002
【実用新案登録請求の範囲】
【請求項１】
放射性セシウムや放射性ヨウ素を含む有害物質に汚染された土壌、水等から放射性セシウムや放射性ヨウ素、有害物質を吸着させ、除去を容易かつ低コストで処理、浄化する炭。
【考案の詳細な説明】
【技術分野】
【０００１】本考案は、放射性セシウムや放射性ヨウ素を含む有害物質を炭が持つ効率的な吸着力で処理するものである。
【背景技術】
【０００２】本考案を請求するに至った背景は、原子力発電所の事故により拡散し土壌や水系を汚染した放射性物質を除去するために、炭の持つ有害物質を吸着するという特徴を利用することで除去、浄化が行えるものである。
炭は樹木や竹だけではなく籾殻、あらゆる植物から生成できる。炭は樹木の形を維持したものから粉砕した形状でもその吸着効果は変わるものではなく、土壌、水場、家畜などを飼育する環境に合わせて使用できる優秀な素材である。
【先行技術文献】
【特許文献】
【０００３】
【特許文献１】  特開２００７−２８６０２３  気相中の放射性よう素および放射性よう素化合物の吸着材
【特許文献２】  実願Ｈ０４−０８８６７８  有機デバイスとその製造方法
【特許文献３】  特開Ｈ０２−２６３１９９  放射性沃素除去材
【特許文献４】  特開Ｈ０５−２６４４１６  放射性ガスの捕集用フィルター
【特許文献５】  国際公開２００６−１０９５９５  放射性物質除去フィルター及びそれを用いるフィルターユニット
【特許文献６】  特開Ｓ５８−０９６２９９  放射性沃素除去材
【特許文献７】  特開２００４−１５６９０４  吸着シート上記で既に公開されている特許、考案について、空気中の放射性ヨウ素を除去する考案であり、また多くは活性炭という特殊加工を施した物を前提に考えられている。土壌中および水中の放射性物質を炭そのものが有する多孔質が吸着するという特徴に着目した本考案とは異なると考える。
【非特許文献】
【０００４】一般専門書では炭に関して土壌改質など解説されているが、いまだ炭は研究の過程にあり、炭の持つ放射性物質の吸着が放射性セシウムや放射性ヨウ素などに有効であることは言及していない。
【考案の概要】
放射性セシウムや放射性ヨウ素を含む有害物質を吸着する浄化材としての炭
【考案が解決しようとする課題】
【０００５】放射性セシウムや放射性ヨウ素を含む有害物質に汚染された土壌、水等から有害物質を吸着させ、除去を容易かつ低コストで処理する浄化方法を提供する。
【課題を解決するための手段】
【０００６】水、土壌の表面及び深部を汚染した放射性ヨウ素を含む有害物質を除去するために、あらゆる植物から生成された炭を使用する。炭は、直径１０〜２００Å（オングストローム）の多孔質で個々の孔の表面積は１グラムあたり延べ９００〜１，３００ｍ２はあり、この広大な面積を持つ孔に放射性セシウムや放射性ヨウ素を含む有害物質が吸着する。この炭の持つ特徴を活用し、放射性ヨウ素を含む有害物質に汚染された、水中、土壌表面、土壌中に散布、埋設させることで吸着による除去を行うものである。
家畜などの健康回復には、炭を食べやすい形状、大きさにして与えることで、体内に摂取された放射性ヨウ素を含む有害物質を腸内で吸着させ糞と共に排出させることができる。
【考案を実施するための最良の形態】
【０００７】樹木、竹、籾殻など植物の形状を残した炭から粉砕した炭まで形を問わない。
【考案の効果】
【０００８】放射性物質による土壌汚染、水質汚染で苦しむ地域で生産でき、安価で早い処理ができる。
【図面の簡単な説明】
【０００９】
【図１】約５００倍に拡大した炭の断面図。直径１０〜２００Å（オングストローム）の多孔質の孔が多数存在する。
【図２】炭の多孔質の孔が炭の形状に従って伸びている図。
【符号の説明】
【００１０】１  直径１０〜２００Å（オングストローム）の多孔質の穴が多数存在する。
２  個々の孔の表面積は１グラムあたり延べ９００〜１，３００ｍ２はあり、この広大な面積の孔に放射性セシウムや放射性ヨウ素を含む有害物質が吸着する。
【産業上の利用の可能性】
【００１１】放射性物質の汚染に苦しむあらゆる地域で本考案は効果を発揮する。
【図１】
0003195273.tif 000003
【図２】
0003195273.tif 000004
【手続補正書】
【提出日】平成26年10月9日(2014.10.9)
【手続補正１】
【補正対象書類名】実用新案登録請求の範囲
【補正対象項目名】全文
【補正方法】変更
【補正の内容】
【実用新案登録請求の範囲】
【請求項１】
有機質から生成される炭は、直径１０〜２００Å（オングストローム）の多孔質を持ち、個々の孔の表面積は１グラムあたり延べ９００〜１，３００ｍ２はあり、この広大な面積を持つ孔に放射性セシウムや放射性ヨウ素を含む有害物質が吸着する特徴を活用する有機質から生成される炭。
(57)【要約】      （修正有）【課題】高齢者、障害者の自覚症状のない方の排便時を知らせ、不快な状態を教える介護用フラットリトマスシートを提供する。【解決手段】高齢者、障害者のなかで、寝て過ごす介助が必要な方の、おむつカバーの内側に使用する平面形の吸水２、防水シート３で、排便時に付着吸収した便や尿により、両端の排泄確認部位４の色が変わり知らせることを特徴とする。【選択図】図１
0003195280.tif 000002
【実用新案登録請求の範囲】
【請求項１】
高齢者、障害者のなかで、寝て過ごす方又、介助が必要な方達の、おむつカバーの内側に使用し、排便時をリトマスシートに付着、吸収した便や、消臭効果のある臭いセンサーにより、シートの端の、排泄確認部位の色が変わり、知らせてくれる仕組みの、介護用シートです。
排便の自覚症状のない方への、気配りシートです。
【考案の詳細な説明】
【技術分野】
【０００１】本考案は、おむつカバーの内側に使用し、排便を知らせる仕組みの、介護用シートである。
【背景技術】
【０００２】一般、病院、施設等で、排泄時に介護用として使用している。
【考案の概要】
【考案が解決しようとする課題】
【０００３】高齢者、障害者の多くは、排便の自覚症状がなく、長時間に渡り、不快な状態での、生活が強いられます。早い段階での排便の確認が、可能となれば、家族関係の思いやりへとつながり、各家庭での介護の、スムーズな、生活の質の向上を目指すことができ、解決に向けての、課題である。
【課題を解決するための手段】
【０００４】本考案は、おむつカバーと併用して、使用する商品で、排便の付着吸収又、臭いセンサーや、消臭効果によりリトマスシートが反応し、おむつカバーを付けたまま、シートの両端部位の色が変わることで、排泄介助の時を知らせます。このことで、確認が簡巣に行われ問題点を解決している。
【考案の効果】
【０００５】上述の様に、リトマスシートにより、簡単に排便の確認が可能になると、高齢者、障害者、介護者の負担を軽減化することができ、家庭や、病院施設等で役立つ。
【図面の簡単な説明】
【０００６】
【図１】本考案の介護用フラットリトマスシート正面図である。
【図２】本シートの横面図
【考案を実施するための形態】
【０００７】一般家庭、病院、施設等において、高齢者、障害者への気配りを優先とし、快適な生活向上を計る。
【実施例】
【０００８】高齢者、障害者などの要介護者の多くは、排便の自覚症状がない為、寝て過ごすことの多い方や、介助があれば歩行ができる方の排泄介護用品として、使用する。
【産業上の利用可能性】
【０００９】たくさんの、福祉用具、介護用品が溢れるなかで、食事と排泄が、一日のなかで、一番大切な動作であり、スムーズに行う為の用具、又、商品の開発、改良が必要だと考えます。
【符号の説明】
【００１０】１  リトマスシート（不織布）
２  高分子吸水材、綿状パルプ
３  ポリエチレンフィルム防水材
４  排便確認部位
【図１】
0003195280.tif 000003
【図２】
0003195280.tif 000004
【手続補正書】
【提出日】平成26年10月17日(2014.10.17)
【手続補正１】
【補正対象書類名】実用新案登録請求の範囲
【補正対象項目名】全文
【補正方法】変更
【補正の内容】
【実用新案登録請求の範囲】
【請求項１】
高齢者、障害者のなかで、寝て過ごす介助が必要な方の、おむつカバーの内側に使用する平面形の吸水、防水シートで、排便時に付着吸収した便や尿により、両端の排泄確認部位の色が変わり知らせることを特徴とする介護用フラットリトマスシート。
(57)【要約】      （修正有）【課題】抗菌作用のある材料を使用し作成することで、清潔にマスクを使用でき、携帯性を高め、かつ、汎用香料を使用することで簡便にマスクに香りを付与することができるマスク収納ケースを提供する。【解決手段】抗菌加工が施された、略長方形のポリプロピレン材料により形成された香りつきマスク収納ケース１であり、底辺ａが山折で、左辺ｆが圧着され、上辺ｂ、ｃと右辺ｄ、ｅが開口しており、マスク収納ケースの内側に香りをしみこませるシート２を固定した。【選択図】図１
0003195272.tif 000002
【実用新案登録請求の範囲】
【請求項１】
あらかじめ抗菌加工が施されたポリプロピレン材料（以下ＰＰと表記する）を用い、マスク本体を外気に触れないように収納するために、開閉可能な部分と圧着による密閉部分を備えることで、マスクの出し入れと密閉に近い状態での保存機能を兼ね備えるところを特長とするマスク収納ケースに、汎用のアロマオイルや香水を付着させることでマスクに香りが付く専用のシートを付加することで、マスクを快適に使用できる特徴を持つ、香りつきマスク収納ケース。
【請求項２】
前記の材料に対する印刷は、オフセット印刷を用いて絵や文字、写真などを印刷した請求項１に記載の香りつきマスク収納ケース。
【考案の詳細な説明】
【技術分野】
【０００１】  本考案は主として、フイルムシート材料に対して多目的に使用できる利便性の高いノベルテイー商品に関するものである。
【背景技術】
【０００２】  従来のマスク収納ケースは、安価なポリプロピレンフィルムを用い耐久性にも乏しい物だった。またマスク収納ケースに香りをつけるには香料インクなどの高価なインクを使用しなければならなかった。
【考案が解決しようとする課題】
【０００３】  従来のマスク収納ケースは、使用する素材に抗菌加工がほどこされておらず、使用済みのマスクを収納する場合に、付着した雑菌が繁殖してしまう可能性があった。また、抗菌加工されていてもマスクの頻繁な使用に伴う匂いを防ぐことは難しかった。
【課題を解決するための手段】
【０００４】  予め抗菌、滅菌効果を持つ加工を施したＰＰ材料を用いることで、使用済みのマスクに付着した雑菌の繁殖を抑える機能を持つマスク収納ケースを作成でき、さらに汎用のアロマオイルや香水を付着させることで香りをマスクに移すことができるシートをマスク収納ケースの任意の場所に付加することで、マスクの快適な使用を助ける。また、オフセット印刷を用いてパターン等を印刷することで、共通の材料で多岐にわたる製品のバリエーションを作成することも出来、ノベルティー効果を高めることが出来る。
【考案実施の形態】
【０００５】  図１は本考案の香りつきマスク収納ケース（１）の視図である。図１でマスク収納ケース（１）の底辺（ａ）は山折になっており、左辺（ｆ）で圧着されている。そのため底辺（ａ）及び左辺（ｆ）は閉じた状態になっている。上辺（ｂ）、（ｃ）と右辺（ｄ）、（ｅ）は開口しているため、ここからマスクを出し入れすることができる。
【０００６】  図２は本考案の香りつきマスク収納ケース（１）の展開図である。図１でマスク収納ケース（１）は１枚のフィルムシートを折り曲げ、左辺（ｆ）を圧着することで上辺（ｂ）、（ｃ）と右辺（ｄ）、（ｅ）部に開口部を持つことが出来る。また、左辺（ｆ）は厚着されているのでマスクを収納した場合にその脱落を防止することが出来、かつ底辺（ａ）で折り返した場合フック部（ｇ）が上辺（ｃ）の上部を挟み込み固定する。また、マスクケース内の任意の場所に香りをしみこませるシート（２）を固定することで底辺（ａ）で折り返し内部にマスクを収納した場合、マスクケース内に香りが充満し、マスク本体に移ることでマスクを香らせることができる。
【図面の簡単な説明】
【０００７】
【図１】本考案の香りつきマスク収納ケースの視図
【図２】図１の香りつきマスク収納ケースの展開図
【符号の説明】
【０００８】１  香りつきマスク収納ケース
２  香りシート
ａ  底辺
ｂ  上辺
ｃ  上辺
ｄ  右辺
ｅ  右辺
ｆ  左辺
ｇ  フック
【図１】
0003195272.tif 000003
【図２】
0003195272.tif 000004
【手続補正書】
【提出日】平成26年10月17日(2014.10.17)
【手続補正１】
【補正対象書類名】実用新案登録請求の範囲
【補正対象項目名】全文
【補正方法】変更
【補正の内容】
【実用新案登録請求の範囲】
【請求項１】
あらかじめ抗菌加工が施された、略長方形のポリプロピレン材料により形成された香りつきマスク収納ケースであり、底辺（ａ）が山折で、左辺（ｆ）が圧着され、上辺（ｂ）、（ｃ）と右辺（ｄ）、（ｅ）が開口しており、当該マスク収納ケースの内側に香りをしみこませるシート（２）を固定したことを特徴とする香りつきマスク収納ケース。
【請求項２】
前記ポリプロピレン材料の表面にオフセット印刷を用いて絵や文字、写真を印刷したことを特徴とする、請求項１記載の香りつきマスク収納ケース。
(57)【要約】      （修正有）【課題】毛鉤に釣り糸を通す事を容易にし、釣り場や屋外で使用する事を容易にした携帯糸通し器を提供する。【解決手段】毛鉤釣り及び裁縫での使用に際し、操作性が高く携帯時に糸通し部１の変形や破損が起きないように、スライド式の手に馴染むケース２に格納した糸通し器であって、スペアを内蔵した事で使用時の破損にも対応出来る事を特徴とする。【選択図】図１
0003195277.tif 000002
【実用新案登録請求の範囲】
【請求項１】
スライド式の手に馴染むケースに格納した糸通し器であって、毛鉤釣り及び裁縫での使用に際し操作性と携帯時に糸通し部の変形破損が起きなく、スペアを内蔵した事で使用時の破損にも対応出来る事を特徴とする携帯糸通し器。
【考案の詳細な説明】
【技術分野】
【０００１】
本発明は、毛鉤に釣り糸を通す事を容易にし、釣り場や屋外で使用する事を容易にする糸通し器に関するものである。
【背景技術】
【０００２】
糸通し器は裁縫用及び大きめの毛鉤に使える物はあるが、実用の糸通し器は、毛鉤の糸を通す穴（アイ）の大きさを考えて使用するものであり、絹針の穴より大きいものに使うには実用上十分であった。
しかし、実際の釣り場で使う毛鉤の大きさは一定ではなく、糸を通し難いのは小型の毛鉤で穴（アイ）が絹針の穴より小さい物も有るので糸通し器が入らない為使えないという欠点があった。
釣り場で使う毛鉤用糸通し器が小型の毛鉤に使えないのは使用性に関して大きな障害である。又携帯して移動中等に糸通し器が変形や破損してしまうなどの問題があった。
この改善策として、小型の毛鉤に使え携帯して移動中の変形や破損を防ぐ方法がある。
【先行技術文献】
【特許文献】
【０００３】
【特許文献１】無し
【非特許文献】
【０００４】
【非特許文献１】無し
【考案の概要】
【考案が解決しようとする課題】
【０００５】
糸通し器を小型の毛鉤サイズ18番ぐらいまでに使え、釣り場で使用する為に釣りベスト等に本体をそのままで入れておいたり、吊るして置くと先端の糸を通す部分が変形したり破損して使えなくなってしまう事が有るので持ち運びや携帯するのに糸通し器が変形したり破損しないようにする。
【課題を解決するための手段】
【０００６】
小型の毛鉤サイズ18番ぐらいまでの穴（アイ）にも使える様に糸通し器の先端を絹針用より鋭角にして穴（アイ）に通る様に加工し、釣り場で使用する為に釣りベスト等に本体を入れておいたり、吊るして置いても、先端の糸を通す部分が変形したり破損して使えなくならない様、糸通し器本体をスライドさせて使えるケースに格納し持ち運びや携帯し易くする。
【考案の効果】
【０００７】
糸通し器の先端を絹針用より鋭角に加工した為、小型の毛鉤サイズ18番ぐらいまでにも使え、糸通し器本体をスライドさせるケースに格納して有るので釣りベスト等に入れたり、吊るして置いても、使用時のみ糸通し器本体をスライドさせて先端の糸を通す部分を使うので、変形や破損が起こらなく又、扱い易いケースに格納して有る為使い易さ及び持ち運びや携帯性も向上した。
【図面の簡単な説明】
【０００８】
【図１】図１は携帯糸通しに吊り下げる為のコードリールホルダーを取り付けた状態。1は糸通し器の糸通し部、２は糸通し器のケース、３はスライド用のノブ、４は毛鉤、５は毛鉤の糸を通す穴（アイ）である。
【図２】図２は携帯糸通し器のケースを展開した状態、７はスペアが収められる裏側ケース、８はスライドノブを引き戻す為のバネ、９は糸通し器のスペア、１０はスペア保護用のプラスチック板、１１は吊り下げ用コードリールホルダーである。
【図３】図３は毛鉤に携帯糸通しを使用してスライドノブを使い糸通し部を糸を通す穴（アイ）に挿し込む状態と挿し込んだ状態。1は糸通し器の糸通し部、２は糸通し器のケース、３はスライド用のノブ、４は毛鉤、５は毛鉤の糸を通す穴（アイ）である。
【図４】図４は毛鉤に携帯糸通しを使用してスライドノブを使い糸通し部を糸を通す穴（アイ）に挿し込んだ状態で釣り糸を糸通し部に通しその後糸通し部を引き抜いた状態。1は糸通し器の糸通し部、２は糸通し器のケース、３はスライド用のノブ、４は毛鉤、６は釣り糸である。
【考案を実施するための形態】
【０００９】
釣り糸を小型の毛鉤の穴（アイ）に簡単に通せ、持ち運びと携帯時の変形及び破損を防ぐという目的を、先端を鋭角にした糸通し器と糸通し器本体をスライドさせる事が出来格納出来るケースを使用することで実現した。
【実施例】
【００１０】
本発明携帯糸通し器の実施例であって図3は、毛鉤の穴（アイ）に糸通し器の先端を挿し込む説明図、図４は、毛鉤の穴（アイ）に挿し込んだ糸通し器の先端に釣り糸を通した後糸通し器を引き抜く事で毛鉤の穴（アイ）に釣り糸が通せる説明図。
【産業上の利用可能性】
【００１１】
本発明の携帯糸通し器は手に馴染むケースに格納する事で、操作性も良くスライド式の機能を採用し移動や携帯時の変形や破損が起きにくいのと、釣り以外の裁縫用としても使い易いという利点が有る。
【符号の説明】
【００１２】
1   糸通し器の糸通し部 
2  糸通し器ケース(表側)
3  スライド用ノブ
4  毛鉤
5  毛鉤の釣り糸を通す穴（アイ）
6  釣り糸
7  糸通し器ケース(裏側)
8  スライド用ノブ引き戻しバネ
9  糸通し器スペア
10  糸通し器スペア保護板
11  吊り下げ用コードリールホルダー（市販品）
【図１】
0003195277.tif 000003
【図２】
0003195277.tif 000004
【図３】
0003195277.tif 000005
【図４】
0003195277.tif 000006
【手続補正書】
【提出日】平成26年11月1日(2014.11.1)
【手続補正１】
【補正対象書類名】実用新案登録請求の範囲
【補正対象項目名】全文
【補正方法】変更
【補正の内容】
【実用新案登録請求の範囲】
【請求項１】
毛鉤釣り及び裁縫での使用に際し、操作性が高く携帯時に糸通し部の変形や破損が起きないように、スライド式の手に馴染むケースに格納した糸通し器であって、スペアを内蔵した事で使用時の破損にも対応出来る事を特徴とする、携帯糸通し器。
(57)【要約】      （修正有）【課題】大きな危険性を伴ったガソリン携行缶の使用に際して、安全性を向上させる金属製ガソリン携行缶を提供する。【解決手段】温度変化によるガソリンの膨張と蒸発した揮発ガソリンの圧力を吸収するべく、携行缶内に柔軟性のある空気室Ｂを設ける。空気室は耐油性のゴムで成形されており、この耐油ゴム製空気室の上部には外気と通じるための空気穴が設けられており、この通気口Ｃは携行缶内部のガソリンが外部に漏れ出さないようにねじで完全に密封、固定されている。また、この耐油ゴム製空気室は携行缶内部に設けられた数か所の隔壁により、定位置に保持される。この通気口Ｃとは別に、ゴム製空気室Ｂの容量だけでは対処が十分でない蒸気圧を逃がすための従来と同様のねじ式通気口Ｄも取り付けられている。【選択図】図１
0003195274.tif 000002
【実用新案登録請求の範囲】
【請求項１】
気化ガスによる引火の危険性を減少せしめ、安全性を高めるために伸縮可能な空気室を備えた金属製ガソリン携行缶の構造。
【考案の詳細な説明】
【技術分野】
【０００１】本考案は一般の使用に供せられる金属製のガソリン携行缶に関する。
【背景技術】
【０００２】従来の金属製ガソリン携行缶は完全に密封された金属製容器であり、ガソリンの物性による缶内部圧力の上昇や、高い揮発性に対して一切の安全装置が無く、単に、使用者が使用直前に缶内圧力を抜くためのねじ式通気口が取り付けられているにすぎなかった。
【考案の開示】
【考案が解決しようとする課題】
【０００３】そのため、炎天下などの周囲環境によっては使用時、缶内圧力を抜く際にガソリン蒸気およびガソリンが吹き出すことにより引火事故を誘発し、重大な事故に発展する事があった。
【課題を解決するための手段】
【０００４】上記課題を解決するための手段として、温度変化によるガソリンの膨張と蒸発した揮発ガソリンの圧力を吸収するべく、携行缶内に柔軟性のある空気室を設ける。
本考案はこの様な携行缶内に柔軟性のある空気室を設ける案を提供することで、上記課題を解決するものである。
【考案を実施するための形態】
【０００５】図−１は本考案の実施例断面図であるが、図の空気室は耐油性のゴムで成形されており、大気圧では図のような形状を保っている。
この耐油ゴム製空気室の上部には外気と通じるための空気穴が設けられており、この通気口は携行缶内部のガソリンが外部に漏れ出さないようにねじで完全に密封、固定されている。
また、この耐油ゴム製空気室は携行缶内部に設けられた数か所の隔壁により、定位置に保持される。
この通気口とは別に、ゴム製空気室の容量だけでは対処が十分でない蒸気圧を逃がすための従来と同様のねじ式通気口も取り付けられている。当該携行缶からガソリンを他に移す際もこの通気口を開放する。
【０００６】図−２は通気口の拡大詳細図である。
【考案の効果】
【０００７】ガソリンは膨張率が高く、温度が１度上昇すると０．００１３５膨張する。これは１０リッターのガソリンが１０度、温度が上昇すると１３５ｃｃ、体積が増えることを意味する。また、ガソリンは缶内の蒸気圧力が高いほど蒸発量が多くなり、仮に５０度の温度下で缶内圧力が６０ｋＰａの場合、毎分２．５ｇ蒸発する。これは、温度が上昇すると缶内の蒸気圧力が上昇し、缶内の蒸気圧力が上昇すると、より蒸発を促進させることになり、缶内の蒸気圧力は上昇する一方である。
しかし、柔軟性のある耐油ゴム製空気室を携行缶内に設けることにより、ガソリンの容積の増加と蒸気圧力を吸収し、携行缶内の蒸気圧を低減させることが可能となる。
携行缶内の蒸気圧力が上昇すると、耐油ゴム製空気室が収縮し、圧縮された空気室内の空気は通気口から排出され、蒸気圧力が低下すると通気口から空気が流入し、空気室は元の形状に戻る。
仮にガソリンの膨張率のみを考えた場合、耐油ゴム製空気室の容量が３００ｃｃであれば、１０リッターのガソリンが２０度、温度が上昇しても、その増加体積は２７０ｃｃであるので十分体積増加を吸収する事が出来る。
これにより、携行缶使用時のガソリンの吹き出しを大幅に低減し、引火の危険性も大幅に低減する事が可能となる。
【０００８】携行缶内部に設けられた隔壁は、ガソリンの移動を制限する役目をもっており、ガソリンの移動を制限することにより、静電気の発生を減少させることも可能となる。これは静電気による引火の危険性を低減せしめる。また当該隔壁は、耐油ゴム製空気室の保持にも役立っている。
【図面の簡単な説明】
【０００９】
【図１】は、本出願の金属製ガソリン携行缶の断面図である。
【図２】は、［図１］の▲Ｃ▼部、通気口案の拡大図である。
【符号の説明】
【００１０】〔図１〕の▲Ａ▼・・・・・本出願の金属製ガソリン携行缶の外板を示す。
〔図１〕の▲Ｂ▼・・・・・本出願の金属製ガソリン携行缶に内蔵される耐油ゴム製空気室を示す。
〔図１〕の▲Ｃ▼・・・・・本出願の耐油ゴム製空気室の通気口を示す。
〔図１〕の▲Ｄ▼・・・・・本出願の金属製ガソリン携行缶のネジ式通気口を示す。
〔図１〕の▲Ｅ▼・・・・・本出願の金属製ガソリン携行缶の内部隔壁を示す。
〔図２〕の▲Ｆ▼・・・・・本出願の耐油ゴム製空気室の一部を示す。
〔図２〕の▲Ｇ▼・・・・・本出願の金属製ガソリン携行缶の外板の一部を示す。
〔図２〕の▲Ｈ▼・・・・・本出願の金属製ガソリン携行缶の外板に溶接された通気口のカラーを示す。
〔図２〕の▲Ｉ▼・・・・・本出願の金属製ガソリン携行缶に内蔵された耐油ゴム製空気室の通気口に取り付けられるキャップを示す。
【図１】
0003195274.tif 000003
【図２】
0003195274.tif 000004
【手続補正書】
【提出日】平成26年10月6日(2014.10.6)
【手続補正１】
【補正対象書類名】実用新案登録請求の範囲
【補正対象項目名】全文
【補正方法】変更
【補正の内容】
【実用新案登録請求の範囲】
【請求項１】
温度上昇による該携行缶内部の蒸気圧力上昇により開栓時、気化ガスの噴出による引火に至る危険性を減少せしめ、安全性を高めるために、別途成型され、外気と通じる通気口を有する伸縮可能で携行缶内部の蒸気圧力を吸収することが可能なゴム製空気室を該携行缶内側上部に備えた金属製ガソリン携行缶。
(57)【要約】      （修正有）【課題】腰の冷えや腰痛の解消に役立つ腹巻を提供する。【解決手段】腹巻を袋状１に作り、その袋状の中に羽毛や羊毛や綿を入れて膨みを設けた腹巻きでサイズは各人各様違いが有るので、サイズの大、小、また袋状の中に入れる羽毛や羊毛や綿の容量の多少にも関係なく、キルティング６した特徴を持つ。【選択図】図１
0003195154.tif 000002
【実用新案登録請求の範囲】
【請求項１】
腹巻を袋状に作り、その袋状の中に羽毛や羊毛や綿等を入れて膨みを設けた腹巻きでサイズは各人各様違いが有るので、サイズの大、小、また袋状の中に入れる羽毛や羊毛や綿等の容量の多少にも関係なく、キルティングした特徴を持った羽毛や羊毛や綿入り腹巻。
【考案の詳細な説明】
【考案の詳細な説明】
【０００１】本考案は腰や腹の冷えや腰痛の解消に考案した腹巻で、特に羽毛の方が暖かく、縦２５ｃｍ〜３０ｃｍ長さ１００ｃｍの細長い袋の中に羽毛３００グラム程を入れ中身の偏りを防ぐためにキルティングを施し右と左の合わせ目はマジックテープでの着脱を楽にする、縦２５ｃｍ〜３０ｃｍは腰と腹にたっぷり巻かれるのと羽毛の暖かさで特に腰の冷え、冷えからの腰痛等の解消に役立つ腹巻である。
【技術分野】
【０００２】本考案は腹巻に関するものである。
【考案の概要】
【０００３】
【考案が解決しようとする課題】
【０００４】腰の冷えや腰痛の解消に役立つ。
【課題を解決するための手段】
【０００５】腹巻を袋状にしてその中に羽毛や羊毛や綿を入れキルティングした。
【考案の効果】
【０００６】羽毛や羊毛や綿の暖かさで腰の冷えや腰痛の解消に役立つ
【図面の簡単な説明】
【０００７】
【図１】羽毛や羊毛や綿の入った腹巻の図
【考案を実施するための形態】
【実施例】
【０００８】１の腹巻本体の袋状２の中に羽毛や羊毛や綿を入れ５の縫い代で閉じ、６のキルティングで中身の片寄りをなくし３、４のマジックテープの使用で着脱を容易にして使用実施する。
【符号の説明】
【０００９】１  腹巻本体と袋状態
２  羽毛や羊毛や綿
３  右側、表のマジックテープ
４  左側、裏のマジックテープ
５  袋を閉じる縫い代
６  羽毛や羊毛や綿の片寄りをなくするキルティング
【図１】
0003195154.tif 000003